(57)【要約】【課題】運転上の視覚を妨げることがなく、取付け・取外しが従来の接着剤を使用する方法よりも簡単なカーナビの取付け具を提供する。【解決手段】自動車に装備されるカセットテーププレーヤーのカセットテープ挿入孔に挿入される板状の挿入部２と、この挿入部に連続して形成されカーナビ４が装着される板状のカーナビ装着部３とを備えるカーナビの取付け具。【選択図】図１
0003103069.tif 000002
【実用新案登録請求の範囲】
【請求項１】
自動車に装備されるカセットテーププレーヤーのカセットテープ挿入孔に挿入される板状の挿入部と、該挿入部に連続して形成されカーナビが装着される板状のカーナビ装着部とを備えることを特徴とするカーナビ取付け具。
【請求項２】
該挿入部は、カセットテーププレーヤーがカセットテープ再生動作を開始する挿入深さまで挿入することが不可能なようにその寸法が規制されていることを特徴とする請求項１記載のカーナビ取付け具。
【請求項３】
該カーナビ装着部の幅は該挿入部の幅よりも大きいことを特徴とする請求項１記載のカーナビ取付け具。
【請求項４】
該カーナビ装着部の厚みは該挿入部の厚みよりも大きいことを特徴とする請求項１記載のカーナビ取付け具
【請求項５】
自動車に装備されるカセットテーププレーヤーのカセットテープ挿入孔に挿入される板状の挿入部と、該挿入部に連続して形成され物品が載置される板状の物品置き台とを備えることを特徴とする物品置き台取付け具。
【請求項６】
該挿入部は、カセットテーププレーヤーがカセットテープ再生動作を開始する挿入深さまで挿入することが不可能なようにその寸法が規制されていることを特徴とする請求項５記載の物品置き台取付け具。
【考案の詳細な説明】
【技術分野】
【０００１】
本考案は、カーナビゲーションシステム（以下一般に使用されており定着している呼び方にしたがい「カーナビ」と略称する）その他の物品の置き台を自動車に取り付けるための取付け具、特にカーナビの取付け具に関する。
【背景技術】
【０００２】
最近のカーナビの普及はめざましいものがあり、ドライブ愛好家には必需品となっている。カーナビがこのように普及した理由の一つにはポータブルカーナビの製品化が挙げられ、これによってカーナビの持ち運びが簡単にでき、中古車にも取付けることができ上に一つの自動車から取外し他の自動車に取付けることができるという便利さがある。
【０００３】
しかしこのポータブルカーナビを自動車に取付ける場合に実際には種々の問題が生じている。ポータブルカーナビは通常助手席前、オーデイオパネル内、ダッシュボードの上などにカーナビの付属品である接着剤を使用して接着されているが、オーデイオパネル以外の場所では運転上死角ができ視界を悪くするので交通安全上問題がある。さらにカーナビを一つの自動車から他の自動車に移して使用する場合や自動車を中古車として売却する場合にはカーナビを取外さなければならないが、この場合接着をはがす作業が面倒なばかりか、自動車に付着した接着剤がきれいにはがれることはなく自動車の内装面に接着剤が残る結果著しく美観を害し、中古車として売却する場合は売却価格が低減するという不都合がある。
【考案の開示】
【考案が解決しようとする課題】
【０００４】
本考案は従来のポータブルカーナビを自動車に取付ける場合に生じる上記問題点にかんがみなされたものであって、運転上の視覚を妨げることがなく、取付け・取外しが従来の接着剤を使用する方法よりも簡単で、特にカーナビを自動車から取外したとき接着剤が自動車の内装面に残ることがないカーナビの取付け具を提供しようとするものである。
【課題を解決するための手段】
【０００５】
現在多くの自動車にはカーラジオ、ＣＤプレーヤー、カセットテーププレーヤー等が標準的に装備されているが、最近ではＣＤの普及によりカセットテーププレーヤーの使用が減少しており、多くの自動車ではカセットテーププレーヤーは使用されずに放置されているか、使用されてもごく稀である。本考案者はこの事実に着目し、このように使用されることが稀なカセットテーププレーヤーのカセットテープ挿入孔を利用してカーナビを取付けることができないか研究を重ねた結果、常識的には相当な重量を有するカーナビをなんらかの取付け具に装着してその取付け具をカセットテープ挿入孔に挿入しても、揺れの激しい車内ではカーナビの重みにより取付け具がカセットテープ挿入孔から脱出してしまうか振動によりがたつくことが予想され、およそ実用に供し得ないと考えられが、実験して見ると、実際にはカセットテープ挿入孔が僅かに上方に傾斜していることとカーナビの自重により、意外にも取付け具の脱出やがたつきはまったく起こらず、走行中も安定した取付状態を維持できることを発見し、本考案に到達した。また、本考案者は、カセットテーププレーヤーは、カセットテープをカセットテープ挿入孔の中にある深さに達するまで挿入しないとカセットテープ再生動作を開始しないので、取付け具をこの深さに達する以前の深さに挿入することによりカーナビを支えることができれば、カセットテーププレーヤーのカセットテープ再生機能を損傷することがなく、したがって取付け具を取外せばカセットテーププレーヤーの本来の機能にしたがいカセットテープの再生ができることを確認した。
【０００６】
すなわち、請求項１記載のカーナビの取付け具は、自動車に装備されるカセットテーププレーヤーのカセットテープ挿入孔に挿入される板状の挿入部と、該挿入部に連続して形成されカーナビが装着される板状のカーナビ装着部とを備えることを特徴とするものである。
【０００７】
請求項２記載のカーナビの取付け具は、請求項１記載のカーナビ取付け具において、該挿入部は、カセットテーププレーヤーがカセットテープ再生動作を開始する挿入深さまで挿入することが不可能なようにその寸法が規制されていることを特徴とするものである。
【０００８】
請求項３記載のカーナビ取付け具は、請求項１記載のカーナビ取付け具において、該カーナビ装着部の幅は該挿入部の幅よりも大きいことを特徴とする。
【０００９】
請求項４のカーナビ取付け具は、請求項１記載のカーナビ取付け具において、該カーナビ装着部の厚みは該挿入部の厚みよりも大きいことを特徴とする。
【００１０】
本考案にかかる取付け具は、カーナビだけでなく、小型テレビ、携帯電話機、飲料容器等の自動車内に持ち込む物品を載置する台を自動車に取付ける用途にも適用することができる。
【００１１】
すなわち、請求項５記載の物品置き台取り付け具は、自動車に装備されるカセットテーププレーヤーのカセットテープ挿入孔に挿入される板状の挿入部と、該挿入部に連続して形成され物品が載置される板状の物品置き台とを備えることを特徴とするものである。
【００１２】
請求項６記載の物品置き台取り付け具は、請求項５記載の物品置き台取付け具において、該挿入部は、カセットテーププレーヤーがカセットテープ再生動作を開始する挿入深さまで挿入することが不可能なようにその寸法が規制されていることを特徴とするものである。
【考案の効果】
【００１３】
請求項１記載の考案によれば、カーナビ取付け具は、カセットテープ挿入孔に挿入される板状の挿入部と、該挿入部に連続して形成されカーナビが装着される板状のカーナビ装着部を備えているので、カーナビをカーナビ装着部に装着し、挿入部をカセットテープ挿入孔に挿入することにより、接着剤を使用せずにカーナビを極めて簡単にワンタッチで自動車に取り付け・取外すことができ、カーナビを取り外して他の自動車に取付ける場合にも、接着剤の跡が自動車の内装面に残ることがなく、美観を損なったり自動車の売却価格を低減するおそれがない。また、ほとんどのカセットテーププレーヤーはダッシュボード内に設置されているから、そのカセットテープ挿入孔に挿入される取付け具に装着されるカーナビは視認性に優れており、また運転上の視覚を妨げることがない。また、カセットテープ挿入孔が僅かに上方に傾斜していることとカーナビの自重により、取付け具の脱出やがたつきはまったく起こらず、走行中もカーナビは自動車に安定して取付けられている。さらに、カセットテープの構造・寸法は世界共通の仕様であるから、カセットテープ挿入孔を利用することにより、いかなる車種の自動車にも簡単にカーナビを取付けることができるという優れた長所がある。
【００１４】
請求項２記載の考案によれば、請求項１記載のカーナビ取付け具において、該挿入部は、カセットテーププレーヤーがカセットテープ再生動作を開始する挿入深さまで挿入することが不可能なようにその寸法が規制されているので、取付け具をカセットテープ挿入孔に挿入することによりカセットテーププレーヤーのカセットテープ再生機能を傷つけるおそれがなく、取付け具を取外せば、カセットテープを通常どおりカセットテープ挿入孔に挿入することにより容易に再生することができる。
【００１５】
請求項３記載の考案によれば、該カーナビ装着部の幅は該挿入部の幅よりも大きいので、挿入部の挿入深さを容易に規制することができる。
【００１６】
請求項４記載の考案によれば、該カーナビ装着部の厚みは該挿入部の厚みよりも大きいので、挿入部の挿入深さを容易に規制することができる。
【００１７】
請求項５記載の考案によれば、物品置き台取付け具の挿入部をカセットテープ挿入孔に挿入し、物品置き台に小型テレビ等任意の物品を載置することにより車内をより有効に使用することができる。
【００１８】
請求項６記載の考案によれば、請求項２記載の考案同様に、取付け具をカセットテープ挿入孔に挿入することによりカセットテーププレーヤーのカセットテープ再生機能を傷つけるおそれがなく、取付け具を取外せば、カセットテープを通常どおりカセットテープ挿入孔に挿入することにより容易に再生することができる。
【考案を実施するための最良の形態】
【００１９】
以下添付図面を参照して、本考案にかかるカーナビ取付け具の１実施形態について説明する。  
図１は本考案にかかるカーナビの取付け具の１実施形態を示す斜視図である。カーナビ取付け具１は、自動車に装備されるカセットテーププレーヤーのカセットテープ挿入孔に挿入される板状の挿入部２と、この挿入部２に連続して形成されカーナビ４が装着される板状のカーナビ装着部３とを備える。
【００２０】
挿入部２は平面視した形状が正方形または矩形の板状部材からなり、その幅Ａはカセットテープの横方向長さよりも僅かに小さく、その厚みＴはカセットテープの厚みよりも僅かに小さい厚みに設計されている。
【００２１】
カーナビ装着部３は平面視した形状が正方形または矩形の板状部材からなり、その取付け具挿入方向の長さＣはカーナビの奥行きとほぼ同一程度であり、またその幅Ｂはカーナビ４の横幅とほぼ同一程度でありかつカセットテープ挿入孔の幅よりも充分大きくなるように設計されている。したがって挿入部２のカセットテープ挿入孔内への挿入はカーナビ装着部３の挿入部２と連続する側の端縁５によって規制されそれ以上の挿入は不可能である。したがって挿入部２の取付け具挿入方向の長さＤが挿入部２のカセットテープ挿入孔内の挿入深さになる。
【００２２】
カセットテープの横方向長さは６４ｍｍ、縦方向長さは１００ｍｍ、厚みは８．５ｍｍであり、カセットテープを９０ｍｍ程度カセットテープ挿入孔内に挿入するとカセットテープ再生動作が開始するように設計されている。したがって、カーナビ取付け具１の挿入部２の挿入深さＤを９０ｍｍ未満に設定すれば、挿入部２がカセットプレーヤーのカセットテープ再生機能を損傷するおそれがなく、カーナビ取付け具１を取外すことによりカセットテープを再生することができる。好ましい実施例としては、取付け具１の挿入部の幅Ａを６０ｍｍ、カーナビ装着部３の幅Ｂを１００ｍｍ、カーナビ装着部３の挿入方向長さＣを５０〜１００ｍｍ、挿入部２およびカーナビ装着部３の厚みＴを８．４ｍｍ、挿入部２の挿入深さＤを６０〜８０ｍｍに設定する。
【００２３】
カーナビ装着部３の中央部にはネジ孔６が形成され、このネジ孔６にはカーナビ装着用のネジ７がねじ込まれており、ネジ７の端部７ａはカーナビ装着部３上に突出している。このネジ端部７ａをカーナビ４の対応するネジ孔（図示せず）にねじ込むことによりカーナビを装着部３に固定することができる。
【００２４】
このカーナビ取付け具１を使用してカーナビを自動車に取付ける場合は、カーナビのネジ孔にネジ端部７ａをねじ込んでカーナビを装着部３に装着した後挿入部２をカセットテープ挿入孔の外側の周辺部にカーナビ装着部３の端縁５が当たるまで挿入することにより取付けを終了する。取付け具１を取外す場合は、カーナビ装着部３を手で保持してカセットテープ挿入孔から挿入部２を引きぬくだけでよい。
【００２５】
図２は本考案の他の実施形態を示す斜視図である。この実施形態において図１の実施形態と同一構成要素は同一符号で示し、その説明を省略する。
【００２６】
この実施形態においては、挿入部２の厚みＴ１よりもカーナビ装着部３の厚みＴ２を大きくすることにより挿入部２の挿入深さを規制している。すなわち、挿入部２の厚みＴ１は図１の実施形態と同様にカセットテープの厚みと同一であるが、カーナビ装着部３の厚みＴ２は厚みＴ１の２倍程度の厚みに設定されている。これによって、挿入部２が挿入され続けるとカーナビ装着部３の端縁５がカセットテープ挿入孔の外側周辺部に当たり、それ以上の挿入が不可能となる。
【００２７】
図３は本考案の他の実施形態を示す斜視図である。この実施形態においても図１の実施形態と同一構成要素は同一符号で示し、その説明を省略する。
【００２８】
この実施形態においては、挿入部２の端部２ａおよびカーナビ装着部３の端部３ａを貫通して公知の角度調節機構９の軸９ａが設けられており、カーナビ装着部３は角度調節機構９の角度調節つまみ９ｂを操作することにより挿入部２に対して傾斜することができる。これによってカーナビの角度位置を調節することができる。なお符号８はカーナビ装着用のネジを挿通する長孔である。
【００２９】
上記各実施形態において、カーナビはネジによってカーナビ装着部３に装着されるように構成されているが、カーナビの装着方法としてはこれに限らず、たとえばカーナビ付属の接着剤を使用してカーナビを装着部に接着する等他の方法を使用してもよい。
【００３０】
本考案はカーナビの取付けのみならず、小型テレビ、携帯電話機、飲料のカップ等を載置するための台を簡単に自動車に取り付けるための取付け具にも適用することができる。この場合ネジ孔は必ずしも必要ではないことは勿論である。
【図面の簡単な説明】
【００３１】
【図１】本考案に係るカーナビ取付け具の１実施形態を示す斜視図である。
【図２】本考案に係るカーナビ取付け具の他の実施形態を示す斜視図である。
【図３】本考案に係るカーナビ取付け具の他の実施形態を示す斜視図である。
【００３２】
１      カーナビ取付け具
２      挿入部
３      カーナビ装着部
４      カーナビ
【図１】
0003103069.tif 000003
【図２】
0003103069.tif 000004
【図３】
0003103069.tif 000005